(57)【特許請求の範囲】
【請求項１】
蛍光灯の管本体を把持する、第１の操作棒の先端に取り付けられた把持工具と、蛍光灯の一方の口金をソケットに対して着脱する、第２の操作棒の先端に取り付けられた着脱工具と、装着する蛍光灯の一端に取り付けてソケットホルダーの両側部を案内として蛍光灯の電極をソケットホルダに位置決めする挿入ガイドとからなる蛍光灯の取り替え工具において、
前記把持工具は、両側部に穴が設けられたパイプの先端にクリップが前記パイプに対して抜けないように取り付けられ、前記クリップは一対の円弧状の把持片と摘まみ部が中間のヒンジ部で開閉自在に止着され通常は前記把持片が互いに閉じるようにスプリングで付勢され摘まみ部が前記パイプの内壁で押圧される状態に保持され、把持片を開いた状態に保持する際には摘まみ部をパイプの前記穴から摘んで把持片を開きパイプの上側にクリップを動かして、パイプの内壁で摘まみ部が開かないようにされ、さらにパイプ内にクリップを上方に押圧する押圧バネが設けられ、
前記着脱工具は、中央部が前記蛍光灯の口金の２本の電極の間に挿入される三つ又フォーク状の絶縁材からなる引き外し片を先端に有し、引き外し片はソケットに当たる側が凸になるように湾曲するとともに、ソケットホルダーの両側部を案内するソケットガイド片が間隔調整可能に設けられ、ソケットガイド片の反対側には管端保持片が間隔調整可能に取り付けられ、
前記挿入ガイドは、一対の円弧状の把持片と摘まみ部が中間のヒンジ部で開閉自在に止着され把持片を互いに閉じるようにスプリングで付勢されたクリップの両把持片に蛍光灯の一端に電極棒と平行に位置するようにスプリングを介してガイド板が固定ねじで取り付けられ、さらに把持片を互いに閉じる前記スプリングには前記挿入ガイドを蛍光灯から外す際に前記第２の操作棒の他端部に取り付けられた外しフックが引っ掛けられることを特徴とする蛍光灯の取り替え工具。
【発明の詳細な説明】
【０００１】
【発明の属する技術分野】
本発明は、天井や壁などの高所に取り付けられる蛍光灯を交換するための取り替え工具に関するものである。
【０００２】
【従来の技術】
従来は、脚立や梯子を用いて高所の蛍光灯を取り替えていたが、脚立の高さに限界があるし、脚立が立てられない場所もある。さらに、脚立や梯子の上で作業する人と、下で新旧の蛍光灯を受け渡す人の少なくとも二人の作業員が必要であり、作業に手間と時間と人員を必要としていた。
これらの問題点を解決するため、特開昭６０−４４９５４号公報には、蛍光灯を把持する装置と蛍光灯のスイッチ部分の脱着装置を設けたものが開示されている。
【０００３】
また、実登第３０１９３２５号登録公報には、中空軸の上部に設備された大型クリップで蛍光管を保持し、更に小型クリップにより蛍光管の電極突起部を蛍光灯セットの電極部から切り離して蛍光管を脱着させるために、中空軸の下部に接続した拳銃型のグリップに設備された、前方押板を開閉する引金形金具と、電極部離脱押板を作動させる撃鉄型金具をそれぞれ操作することによって、建物の天井に設置されている蛍光灯セットの蛍光管を交換する蛍光管遠隔脱着器が開示されている。
【０００４】
【発明が解決しようとする課題】
ところが、特開昭６０−４４９５４号公報に開示された装置では、次のような問題点があった。
（１）  スイッチ部分の脱着装置は、先端が楔状であり、高所の蛍光灯の電極の間に差し込むことがむつかしい。
（２）  蛍光灯を把持する装置はＣ字状の板ばねを用いているため、高所の蛍光灯を把持するとき、確実につかむことがむつかしく、また新品の蛍光灯を装着した後蛍光灯からＣ字状の板ばねを外すときに外れにくいという問題がある。
【０００５】
また、実登第３０１９３２５号登録公報に開示された装置では、次のような問題点があった。
（１）  構造が複雑で重量が重くなるため、作業が重労働となり、手間もかかる。
（２）  グリップの操作が複雑で作業に慣れが必要となる。
（３）  グリップで蛍光灯の端部を保持するので操作ミスで蛍光管を落としやすい。
本発明が解決すべき課題は、構成が簡単で操作もしやすく、軽量で作業者に負担がかからない蛍光灯の取り替え工具を提供することにある。
【０００６】
前記課題を解決するため、本発明の蛍光灯の取り替え工具は、蛍光灯の管本体を把持する、第１の操作棒の先端に取り付けられた把持工具と、蛍光灯の一方の口金をソケットに対して着脱する、第２の操作棒の先端に取り付けられた着脱工具と、装着する蛍光灯の一端に取り付けてソケットホルダーの両側部を案内として蛍光灯の電極をソケットホルダに位置決めする挿入ガイドとからなる蛍光灯の取り替え工具において、前記把持工具は、両側部に穴が設けられたパイプの先端にクリップが前記パイプに対して抜けないように取り付けられ、前記クリップは一対の円弧状の把持片と摘まみ部が中間のヒンジ部で開閉自在に止着され通常は前記把持片が互いに閉じるようにスプリングで付勢され摘まみ部が前記パイプの内壁で押圧される状態に保持され、把持片を開いた状態に保持する際には摘まみ部をパイプの前記穴から摘んで把持片を開きパイプの上側にクリップを動かして、パイプの内壁で摘まみ部が開かないようにされ、さらにパイプ内にクリップを上方に押圧する押圧バネが設けられ、前記着脱工具は、中央部が前記蛍光灯の口金の２本の電極の間に挿入される三つ又フォーク状の絶縁材からなる引き外し片を先端に有し、引き外し片はソケットに当たる側が凸になるように湾曲するとともに、ソケットホルダーの両側部を案内するソケットガイド片が間隔調整可能に設けられ、ソケットガイド片の反対側には管端保持片が間隔調整可能に取り付けられ、前記挿入ガイドは、一対の円弧状の把持片と摘まみ部が中間のヒンジ部で開閉自在に止着され把持片を互いに閉じるようにスプリングで付勢されたクリップの両把持片に蛍光灯の一端に電極棒と平行に位置するようにスプリングを介してガイド板が固定ねじで取り付けられ、さらに把持片を互いに閉じる前記スプリングには前記挿入ガイドを蛍光灯から外す際に前記第２の操作棒の他端部に取り付けられた外しフックが引っ掛けられることを特徴とする。
【０００７】
【発明の実施の形態】
以下、本発明の実施の形態について説明する。
図１は本発明の把持工具と着脱工具を示すものであり、（ａ）は把持工具１０の一部切欠正面図、（ｂ）は着脱工具２０の正面図である。図２（ａ）は把持工具１０の側面図、（ｂ）は着脱工具２０の側面図である。
【０００８】
これらの図において、把持工具１０はパイプ１１の先端に蛍光灯の管本体を把持するためのクリップ１２が取り付けられている。このクリップ１２は、一対の円弧状の把持片１２ａと摘まみ部１２ｄが中間のヒンジ部１２ｂで止着され、通常は前記把持片１２ａが互いに閉じるようにＣ形のスプリング１２ｃで付勢されている。一対の把持片１２ａの上端は、外側に曲げられていて、蛍光灯にスムーズに把持片１２ａが装着できるようになっている。そして、クリップ１２がパイプ１１から抜けないようにスプリング１２ｃとヒンジ部１２ｂとの間にワイヤ１３が通されている。パイプ１１の両側部上部にはスプリング１２ｃが突出できる溝１１ａと摘まみ部１２ｄを外側から押すことができる穴１１ｂが設けられている。長期間の使用でスプリング１２ｃの弾力が弱くなったときは、ワイヤ１３を外して、新しいクリップ１２と交換することができる。図中３７は、把持工具１０のパイプ１１内に設けられ、クリップ１２を上方に押圧して蛍光灯を挟むときにクリップ１２が下方に落ちないようにするための押圧バネである。
【０００９】
上記の構成の把持工具１０は、第１の操作棒１４の先端に、取り替え可能に取り付けられる。
着脱工具２０は、中央部が前記蛍光灯の口金の２本の電極の間に挿入される三つ又フォーク状の絶縁材からなる引き外し片２１を備えており、二つの溝の間隔は、蛍光灯の口金の２個の電極が入る寸法とされている。引き外し片２１は図２（ｂ）に側面図を示すようにソケットに当たる側が凸になるように湾曲させている。また、引き外し片２１にはソケットホルダーの両側部を案内として着脱工具の装着を容易にするソケットガイド片２２が間隔調整可能に取り付けられており、その反対側には、管端保持片２３が引き外し片２１に形成された長穴２０ａによって間隔調整可能に取り付けられており、蛍光灯の管端の口金部の幅方向の中心部に引き外し片２１が位置決めされて高所での引き外し片２１の蛍光灯電極への挿入が容易にできるようにしている。長穴２０ａの端部には、管端保持片２３の頭部を引き外し片２１に着脱できるように管端保持片２３の頭部よりやや大径の穴が形成されている。
この着脱工具２０は、第２の操作棒２４の先端に、取り替え可能に取り付けられる。
【００１０】
蛍光灯が長いものに対しては、図３に示すように前記の構成の把持工具１０を２個、縦パイプ１５に水平方向に連結した横パイプ１６の両端に取り付けて２つのクリップ１２で把持するようにすることができる。この場合、蛍光灯が２本斜めに取り付けられた照明器具などに対応する場合は、横パイプ１６に対して把持工具１０を所定角度傾けて取り付けることができるし、図４に示す角度付きエルボ１７を第１の操作棒１４と縦パイプ１５の間に取り付けることもできる。
【００１１】
図５（ａ）は、新品の蛍光灯１を取り付けるときに使用する挿入ガイド３０を示すものであり、前記のクリップ１２と同様のクリップ３１の両把持片３１ａにガイド板３２をスプリング３３を介して固定ねじ３４で取り付け、蛍光灯の口金に設けられている電極を受けるソケットホルダーの両側部を案内として、蛍光灯の口金の電極がソケットホルダーに確実に位置決めできるようにしたものである。一対のガイド板３２の一方は間隔が狭くなっているが、ソケットホルダーには幅が広いものと狭いものとがあるので、幅が広いものには図５（ａ）とは反対向きに挿入ガイド３０を取り付ければ、各種のソケットホルダーに対応することができる。ガイド板３２の両端部は、ソケットホルダーに挿入しやすいように互いに外側に広がった形状としている。また、スプリング３３によりガイド板３２が幅方向に弾力的に移動できるので、ソケットホルダーの幅の大小に自在に対応することができる。蛍光灯１を装着した後に、挿入ガイド３０を外すには、図５（ｂ）に示すような、第２の操作棒２４の他端部に取り付けられた外しフック３６をスプリング３１ｂに引っ掛けることにより蛍光灯１から外すようにする。
【００１２】
次に、本発明の工具を使用して蛍光灯の取り替え作業を行う方法について説明する。
まず、古い蛍光灯を外す場合、図６に示すように、第１の操作棒１４の先端に把持工具１０を取り付け、クリップ１２の摘まみ部１２ｄをパイプ１１の穴１１ｂから摘んで把持片１２ａを開き、パイプ１１の上側にクリップ１２を動かして、パイプ１１の内壁で摘まみ部１２ｄが開かないようにして把持片１２ａが開いた状態を保持する。その状態で蛍光灯１のほぼ中央部にクリップ１２が来るように第１の操作棒１４を押し上げ、クリップ１２の把持片１２ａで蛍光灯１のほぼ中央部を挟む。ついで、蛍光灯１の一方の口金２とソケットホルダー３との間に、第２の操作棒２４の先端に取り付けた着脱工具２０の引き外し片２１を差し込む。この場合、ソケットガイド片２２と管端保持片２３が引き外し片２１の前後方向の位置決めとなるので、高所であっても正確に引き外し片２１の溝が蛍光灯１の電極の間に挿入されることになる。
【００１３】
ついで、図６の矢印の方向に第２の操作棒２４を動かすと、てこの作用で蛍光灯１が図面上、左方向に移動し、蛍光灯１の電極がソケットホルダー３のソケットから外れる。その状態で第１の操作棒１４を少し引っ張ると、蛍光灯１の右側が外れ、ついで第１の操作棒１４を右方向に引いて蛍光灯１の左側の電極を左側のソケットホルダー３のソケットから外すと、蛍光灯１を完全に取り外すことができる。
【００１４】
次に、新品の蛍光灯を装着する場合について説明する。図７に示すように、蛍光灯１の一端に電極棒と平行にガイド板３２が位置するように挿入ガイド３０を取り付け、蛍光灯１の中央部を第１の操作棒１４の先端に取り付けた把持工具１０のクリップ１２で把持し、着脱工具２０で蛍光灯右端を保持する。次に、第１の操作棒１４と第２の操作棒２４を持って蛍光灯１を蛍光灯器具まで上げる。左側のソケットホルダー３付近で、図８に示すように一対のガイド板３２の間でソケットホルダー３の幅方向の両側を受けるようにし、その状態でソケットホルダー３に沿って第１の操作棒１４を上下してソケット穴と蛍光灯１の電極棒が合致するところを探し、合致したら第１の操作棒１４を上げ、蛍光灯１の右端を右側のソケットホルダー３の位置まで上げる。次いで、図９の実線で示すように第２の操作棒２４の引き外し片２１の一対のソケットガイド片２２を右側のソケットホルダー３の幅方向の両側に沿わせ蛍光灯１の位置決めを行う。この状態では、蛍光灯１の右端に突出している電極棒４が図９に示すようにソケットホルダー３の下部に当たってそれ以上蛍光灯１を持ち上げることができない。そこで、図９の一点鎖線で示すように、第２の操作棒２４を右側に少し動かすと、てこの作用で蛍光灯１が左方向に移動して電極棒４がソケットホルダー３の下端から離脱し、蛍光灯１は水平になる。続いて第２の操作棒２４を左側に動かしながら第１の操作棒１４を左側に上げると、蛍光灯１の電極棒３が右側のソケットホルダー３のソケット内に嵌まり込む。
【００１５】
この状態で第２の操作棒２４を下に抜き取り、また第１の操作棒１４を下に引っ張って、クリップ１２を外す。蛍光灯１に残った挿入ガイド３０は、先に図５の説明で述べたように、第２の操作棒２４の他端部に取り付けた外しフック３６をスプリング３１ｂに引っ掛けて外す。
【００１６】
【発明の効果】
上述したように、本発明によれば、下記の効果を奏する。
（１）  パイプ状の操作棒に工具を差し込むだけで簡単に組み立てることができる。
（２）  複雑な構造がないのでコストが安くでき、故障も少ない。また、軽量であるので、作業者に負担がかからない。
（３）  非常に高い天井でも、操作棒のパイプを継ぎ足すことで長くできる。
（４）  挿入ガイドを設けることで、高くて手が振れやすい場合も、正確に蛍光灯を装着できる。
【図面の簡単な説明】
【図１】  本発明の把持工具と着脱工具を示すものであり、（ａ）は把持工具の一部切欠正面図、（ｂ）は着脱工具の正面図である。
【図２】  （ａ）は把持工具の側面図、（ｂ）は着脱工具の側面図である。
【図３】  把持工具を２個取り付けた場合の正面図である。
【図４】  把持工具に角度を持たせるためのエルボの側面図である。
【図５】  （ａ）は挿入ガイドの取付状態を示す斜視図、（ｂ）は外しリングの斜視図である。
【図６】  本発明の工具を使用して蛍光灯を外す場合の説明図である。
【図７】  本発明の工具を使用して蛍光灯を取り付ける場合の説明図である。
【図８】  本発明の工具を使用して蛍光灯を取り付ける場合の説明図である。
【図９】  本発明の工具を使用して蛍光灯を取り付ける場合の説明図である。
【図１０】  本発明の工具を使用して蛍光灯を取り付ける場合の説明図である。
【符号の説明】
１  蛍光灯、２  口金、３  電極棒、１０  把持工具、１１  パイプ、１２  クリップ、１２ａ  把持片、１２ｂ  ヒンジ部、１２ｃ  スプリング、１２ｄ  摘まみ部、１３  ワイヤ、１４  第１の操作棒、１５  縦パイプ、２０  着脱工具、２１  引き外し片、２２  ソケットガイド片、２３  管端保持片、２４  第２の操作棒、３０  挿入ガイド、３１  クリップ、３１ａ  把持片、３１ｂ  スプリング、３２  ガイド板、３３  スプリング、３４  固定ねじ、３６  外しフック、３７  押圧バネ
【図１】
0003894345.tif 000002
【図２】
0003894345.tif 000003
【図３】
0003894345.tif 000004
【図４】
0003894345.tif 000005
【図５】
0003894345.tif 000006
【図６】
0003894345.tif 000007
【図７】
0003894345.tif 000008
【図８】
0003894345.tif 000009
【図９】
0003894345.tif 000010
【図１０】
0003894345.tif 000011